(57)【要約】      （修正有）【課題】移動物体の搭載に用い、移動物体がリニアスライディングレールに沿って移動するリニアスライディングブロックを提供する。【解決手段】リニアスライディングブロック１０は、ベースブロック１、ベースブロック１両端に結合する循環器２、及びベースブロック１内に収納する複数のローリングボール３を備え、ベースブロック１は台体１３、カバー体１４を備え、台体１３底面にはレール溝１１を設置し、カバー体１４は一体成型で台体１３を覆い、台体１３両端に位置するエンドブロック１４１、両側のエンドブロック１４１間に連接する連接部１４２、及びレール溝１１両側に形成する負荷トラック１２を形成し、各エンドブロック１４１は循環器２の一面に対応し、各負荷トラック１２間に連通する第一オイル道１５を形成し、各負荷トラック１２は第二オイル道を形成し、第二オイル道の両端は第一オイル道１５に連通する。【選択図】図２
0003176183.tif 000002
【実用新案登録請求の範囲】
【請求項１】
リニアスライディングレール上に組み立て、ベースブロック、前記ベースブロック両端にそれぞれ組み立てる２個の循環器、及び前記ベースブロック内に可動状に設置する複数のローリングボールを備える、リニアスライディングブロックであって、
前記ベースブロックは、台体及びカバー体を備え、前記台体は、荷重に用いる露出頂点面、及び前記露出頂点面の反対側の底面を備え、前記底面には、レール溝を陥没状に設置し、前記レール溝の両側には、少なくとも１個の負荷トラックをそれぞれ設置し、
前記循環器は、前記負荷トラックにそれぞれ連通し、
前記複数のローリングボールは、前記負荷トラック中に収納され、リニアスライディングレールに接触しながらローリング移動し、
カバー体は、前記台体を一体成型で覆うモールディング構造体で、台体両端に形成する２個のエンドブロック、前記２個のエンドブロック間に連接する少なくとも１個の連接部、前記レール溝両側に一体成型する負荷トラックを備え、
前記両側のエンドブロックは、前記循環器の一面に対応し、少なくとも１個の第一オイル道を一体成型し、前記第一オイル道の片側は、前記負荷トラックに連通し、前記負荷トラックには、第二オイル道を一体成型し、前記第二オイル道の両端は、前記第一オイル道に連通することを特徴とするリニアスライディングブロック。
【請求項２】
前記第一オイル道は、前記レール溝周囲を取り囲む凹溝で、前記レール溝両側の負荷トラックに連通することを特徴とする請求項１に記載のリニアスライディングブロック。
【請求項３】
前記第二オイル道は、前記負荷トラックの凹溝に陥没状に設置することを特徴とする請求項１に記載のリニアスライディングブロック。
【請求項４】
前記カバー体に形成する負荷トラックは、前記レール溝に連通する孔道で、
前記台体のレール溝両側には、複数のローリングボールの負荷に用いる負荷部をそれぞれ設置し、
前記負荷部は、前記負荷トラックの孔道に露出することを特徴とする請求項１に記載のリニアスライディングブロック。
【請求項５】
前記カバー体は、前記２個のエンドブロックに連通する無負荷トラックを一体成型し、
前記無負荷トラックの両端は、前記循環器を通して、前記負荷トラックにそれぞれ連通することを特徴とする請求項４に記載のリニアスライディングブロック。
【請求項６】
前記カバー体の両側のエンドブロックの間には、少なくとも１個の第三オイル道を設置し、
前記第三オイル道は、両端の第一オイル道に連通することを特徴とする請求項１に記載のリニアスライディングブロック。
【請求項７】
前記循環器には、前記第一オイル道に連通する注油孔を設置することを特徴とする請求項１に記載のリニアスライディングブロック。
【考案の詳細な説明】
【技術分野】
【０００１】
本考案はリニアスライディングブロックに関し、特に移動物体の搭載に用い、移動物体がリニアスライディングレールに沿って移動するリニアスライディングブロックに関する。
【背景技術】
【０００２】
従来のリニアスライディングレール及びスライディングブロックは、精密製造の機械コンポーネントで、工作機械、専用機械及び自動制御等領域中に応用される移動構造であり、直線運動装置の一つである。
【０００３】
従来のリニアスライディングブロックは、ベースブロック、２個の循環器、複数のローリングボールにより組成する。ベースブロックの底面には、リニアスライディングレールに対応するレール溝を陥没状に設置する。レール溝の両側壁には、負荷トラックをそれぞれ陥没状に設置し、ベースブロック両側には、ベースブロック両端に連通する無負荷トラックをそれぞれ設置する。循環器は、ベースブロックの両端にそれぞれ組み合わせ、これにより負荷トラックは、循環器を通して無負荷トラックに連通する。
【０００４】
複数のローリングボールは、負荷トラック及び無負荷トラック中に並んで収納され、リニアスライディングブロックのレール溝を、リニアスライディングレール上に被せて設置すると、負荷トラック中のローリングボールは、リニアスライディングブロックに負荷をかける。これにより、リニアスライディングブロックの、リニアスライディングレールに沿ったスムーズで安定したスライド移動をガイドすることができる。
【０００５】
また、ローリングボールの移動時には、負荷トラック及びリニアスライディングレールと摩擦を生じるが、摩擦力を減らし、ローリングボール或いはリニアスライディングレールの磨損を防止するため、通常は、循環器内にオイル槽を設置する。こうして、オイル槽内に保存する潤滑油(グリース等)を、循環器を通過するローリングボールに付着させ、これにより予めローリングボールを潤滑する。
【０００６】
しかし、従来の循環器内に設置するオイル槽は、ローリングボールが通過する時だけ潤滑を行うことができ、負荷トラック中において、各ローリングボールに対して潤滑を行うことができないため、ローリングボールが負荷トラックにおいて高速で移動する時には、その表面に付着する潤滑油は、振り落とされ、或いは流失してしまい、潤滑不足の状況を引き起こす。
【０００７】
さらに、従来のベースブロック構造では、負荷トラック及び無負荷トラックをドリリング、カッティング、研磨しなければならないため、その製造プロセスが煩雑になり、コスト削減に不利である。
【０００８】
また、リニアスライディングレールとリニアスライディングブロックは、作動プラットホームとされるスライディングレール等の機械構造中にしばしば応用される。そのため、作動環境中のホコリ、鉄屑等の異物が、負荷トラック及びローリングボールの間隙中に入り込み易い。しかし、従来のリニアスライディングブロックには、異物排除の設計を備えないため、異物は間隙中に堆積し易く、ローリングボール及び負荷トラック等の摩損を招いてしまい、深刻な場合には、リニアスライディングブロック移動時に振動が発生し、スムーズに行かず、或いは引っ掛かる等の状況さえ発生する。
本考案は、従来のリニアスライディングブロックの上記した欠点に鑑みてなされたものである。
【先行技術文献】
【特許文献】
【０００９】
【特許文献１】なし
【考案の概要】
【考案が解決しようとする課題】
【００１０】
本考案が解決しようとする課題は、リニアスライディングブロックを提供することである。
【課題を解決するための手段】
【００１１】
上記課題を解決するため、本考案は下記のリニアスライディングブロックを提供する。
リニアスライディングブロックは、ベースブロック、該ベースブロック両端にそれぞれ組み立てる２個の循環器、及び該ベースブロック内に可動状に設置する複数のローリングボールを備え、該ベースブロックは、台体及びカバー体を備え、該台体は、荷重に用いる露出頂点面、及び該露出頂点面の反対側の底面を備え、該底面には、レール溝を陥没状に設置し、該レール溝の両側には、少なくとも１個の負荷トラックをそれぞれ設置し、該循環器は、該負荷トラックにそれぞれ連通し、該複数のローリングボールは、該負荷トラック中に収納され、リニアスライディングレールに接触しながらローリング移動し、カバー体は、該台体を一体成型で覆うモールディング構造体で、該台体両端に形成する２個のエンドブロック、該２個のエンドブロック間に連接する少なくとも１個の連接部、該レール溝両側に一体成型する負荷トラックを備え、該両側のエンドブロックは、該循環器の一面に対応し、少なくとも１個の第一オイル道を一体成型し、該第一オイル道の片側は、該負荷トラックに連通し、該負荷トラックには、第二オイル道を一体成型し、該第二オイル道の両端は、該第一オイル道に連通し、本考案のリニアスライディングブロック構造改良により、該ベースブロックカバー体の第一オイル道及び第二オイル道構造設計を利用し、モーディング成型の製造プロセスを採用するだけで、第一オイル道及び第二オイル道を形成でき、金属材質の台体に対してドリリング或いはカッティング等加工を行う必要はなく、よって、リニアスライディングブロックの製造プロセスを簡略化し、コストを低下させることができ、さらに、該第一オイル道を通して該第二オイル道に連通する構造により、潤滑油を、該ローリングボール全体が移動する負荷トラック中に進入させ、これにより充分に潤滑する効果を達成し、さらに、該第二オイル道設計を屑排出溝とし、外界の鉄屑、砂粒等異物が、負荷トラックに進入した時には、該ローリングボールのローリング動を通して、異物を第二オイル道へと持ち出し、異物が該ローリングボールに接触し続けないようにし、こうしてローリングボールの磨損防止効果を達成することができる。
【考案の効果】
【００１２】
本考案のリニアスライディングブロックは、リニアスライディングブロックの製造プロセスを簡略化しコストを低下させることができ、またローリングボール全体を充分に潤滑する効果を達成し、ローリングボールの磨損防止効果をも達成することができる。
【図面の簡単な説明】
【００１３】
【図１】本考案リニアスライディングブロックとリニアスライディングレール分解立体模式図である。
【図２】本考案リニアスライディングブロック実施例の分解立体模式図である。
【図３】本考案ベースブロック実施例の立体模式図である。
【図４】本考案ベースブロック実施例の端面模式図である。
【図５】本考案台体実施例の立体模式図である。
【図６】本考案カバー体とベースブロック組合せ構造の局部断面模式図である。
【図７】本考案カバー体とベースブロック組合せ構造の立体断面模式図である。
【図８】本考案リニアスライディングブロックの使用状態模式図である。
【考案を実施するための形態】
【００１４】
以下に図面を参照しながら本考案を実施するための最良の形態について詳細に説明する。
【００１５】
図１、２に示すように、本考案のリニアスライディングブロック１０は、リニアスライディングレール２０上に組み立てるスライド移動のコンポーネントである。その実施例は、ベースブロック１、２個の循環器２、複数のローリングボール３を備える。
【００１６】
ベースブロック１は、矩型ブロック体で、その底面には、リニアスライディングレール２０に対応するレール溝１１を陥没状に設置する。レール溝１１の両側には、少なくとも１個の負荷トラック１２をそれぞれ設置する。
【００１７】
循環器２は、ベースブロック１両端にそれぞれ組み立て、ベースブロック１両端の負荷トラック１２にそれぞれ連通する。複数のローリングボール３は、ベースブロック１の負荷トラック１２中にローリング状に収納され、リニアスライディングレール２０に接触しながらローリング移動する。これにより、リニアスライディングブロック１０は、スムーズにスライド移動する機能を達成することができる。
【００１８】
図３、４に示すように、本考案ベースブロック１は、台体１３、及び局部が台体１３をカバーするカバー体１４を備える。図５に示すように、台体１３は、金属材質により構成するブロック体で、その構造は、荷重に用いる露出頂点面１３１、及び露出頂点面１３１反対側の底面を備え、しかも、底面にはレール溝１１を陥没状に設置する。
【００１９】
図３、６、７に示すように、カバー体１４は、一体成型(プラスチックカバー射出成型など)により台体１３を覆うモールディング構造体で、台体１３両端に形成する２個のエンドブロック１４１、２個のエンドブロック１４１間に連接する少なくとも１個の連接部１４２を備える。さらに、カバー体１４を一体成型の方式により、レール溝２２両側に、それぞれ負荷トラック１２を形成し、こうしてベースブロック１構造を組成する。
【００２０】
図３、４に示すように、本考案は、カバー体１４の両側のエンドブロック１４１が対応する循環器２の一面に、一体成型の第一オイル道１５を設計する。これにより、第一オイル道１５の少なくとも１個の側は、負荷トラック１２に連通する。負荷トラック１２には、一体成型の第二オイル道１６を設計し、これにより第二オイル道１６は、負荷トラック１２に沿って、カバー体１４両端のエンドブロック１４１まで延伸し、第二オイル道１６の両端は、第一オイル道１５に連通する。こうして、潤滑油を第一オイル道１５に充填すると、潤滑油は、第一オイル道１５を経過し、負荷トラック１２に進入するローリングボール３に接触し、しかも、潤滑油は、第二オイル道１６中へと流入し、ローリングボール３全体は充分に潤滑を得ることができる。
【００２１】
図３、４に示すように、本考案第一オイル道１５は、コの字形を呈し、レール溝１１周囲を取り囲む凹溝で、しかもレール溝１１両側に形成する負荷トラック１２に連通する。よって、レール溝１１両側の負荷トラック１２に並んで進入するローリングボール３には、どれもみな潤滑油を付着させることができる。本考案第二オイル道１６は、負荷トラック１２の凹溝に陥没状に設置し、これにより潤滑油は、第二オイル道１６中に進入する。こうして、ローリングするローリングボール３と接触し、これにより、潤滑の目的を達成する。
【００２２】
図７、８に示すように、本考案カバー体１４に形成する負荷トラック１２は、レール溝１１に連通する孔道を形成し、ローリングボール３は、負荷トラック１２中でローリングする。負荷トラック１２中に進入するローリングボール３は、リニアスライディングレール２０に負荷をかけるが、負荷トラック１２の負荷力及び精密度を高めるため、本考案は、台体１３のレール溝１１両側に、複数のローリングボール３の負荷に用いる負荷部１２１を突出状にそれぞれ設置する。負荷部１２１は弧状で、カバー体１４に、負荷トラック１２を射出成型する時には、負荷部１２１は、負荷トラック１２の中に露出する。こうして、ローリングボール３は、負荷部１２１に接触してローリングし、より精密で、より大きな負荷を受止め可能となる。
【００２３】
図６、７  に示すように、本考案カバー体１４は同時に、２個のエンドブロック１４１に連通する無負荷トラック１７を一体成型することができる。循環器２を両端のエンドブロック１４１に組み立てる時、無負荷トラック１７の両端は、循環器２内部の構造をそれぞれ通過して、負荷トラック１２に連通する。これにより、ローリングボール３の循環ローリング機能を達成し、同時に、金属台体１３のドリリング加工が不要となり、カバー体１４一体成型の構造方式を利用し、製造プロセス簡略化とコスト低下の効果を達成することができる。
【００２４】
さらに、図３、４に示すように、本考案はさらに、カバー体１４の両側のエンドブロック１４１間に、少なくとも１個の第三オイル道１８を設置する。これにより、第三オイル道１８は、両端の第一オイル道１５に連通し、こうして潤滑油は両端に充分に流通する。
【００２５】
潤滑油を充填し第一オイル道１５へと進入させる位置は、カバー体１４のエンドブロック１４１の何れか片側、或いは図２に示すように循環器２とすることができる。このため、循環器２には、第一オイル道１５に連通する注油孔２１を設置し、注油孔２１により、潤滑油を第一オイル道１５、第二オイル道１６及び第三オイル道１８へと進入させる。
【００２６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２７】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００２８】
１０：リニアスライディングブロック、２０：リニアスライディングレール、１：ベースブロック、１１：レール溝、１２：負荷トラック、１２１：負荷部、１３：台体、１３１：露出頂点面、１４：カバー体、１４１：エンドブロック、１４２：連接部、１５：第一オイル道、１６：第二オイル道、１７：無負荷トラック、１８：第三オイル道、２：循環器、２１：注油孔、３：ローリングボール。
【図１】
0003176183.tif 000003
【図２】
0003176183.tif 000004
【図３】
0003176183.tif 000005
【図４】
0003176183.tif 000006
【図５】
0003176183.tif 000007
【図６】
0003176183.tif 000008
【図７】
0003176183.tif 000009
【図８】
0003176183.tif 000010